(57)【要約】【課題】ユーザへのグラフィカルな情報伝達が可能なキーバックライトを備える携帯端末、携帯端末の表示制御方法及びプログラムを提供する。【解決手段】マトリクス状のキー部毎に配置したＲＧＢ化した発光素子でなるマトリクス状のキーバックライトを有する携帯端末において、前記マトリクス状のキーバックライトによる画素表示によりグラフィック表示２００を行う制御部を備える。【選択図】図４
2010050709.tif 000002
【特許請求の範囲】
【請求項１】
マトリクス状のキー部毎に配置したＲＧＢ化した発光素子でなるマトリクス状のキーバックライトを有する携帯端末において、前記マトリクス状のキーバックライトによる画素表示によりグラフィック表示を行う制御部を備えることを特徴とする携帯端末。
【請求項２】
前記制御部は、音楽再生時にマトリクス状のキーバックライトにより再生音に対するグラフィックイコライザ表示を行うことを特徴とする請求項１記載の携帯端末。
【請求項３】
前記制御部は、一定期間、前記グラフィックイコライザ表示に代えて前記再生音の曲番号表示を行うことを特徴とする請求項２記載の携帯端末。
【請求項４】
前記マトリクス状のキー部は、携帯端末の長手方向の３列のキー部で構成され、前記グラフィックイコライザ表示は前記３列のキー部によりそれぞれ低音域、中音域及び高音域の信号レベルに応じた発光色のグラフィックイコライザ表示であることを特徴とする請求項２又は３記載の携帯端末。
【請求項５】
前記制御部は、音楽再生時にマトリクス状のキーバックライトによりビジュアライザ表示を行うことを特徴とする請求項１記載の携帯端末。
【請求項６】
前記ビジュアライザ表示は、再生音の信号レベル、周波数又はテンポに応じて表示パターンが変化する表示であることを特徴とする請求項５記載の携帯端末。
【請求項７】
ビジュアライザ表示用の複数の表示パターンを記憶した記憶部を備え、前記制御部は前記記憶部からランダムに読み出した表示パターンによりビジュアライザ表示を行うことを特徴とする請求項５又は６記載の携帯端末。
【請求項８】
前記制御部は、一定期間、前記ビジュアライザ表示に代えて前記再生音の曲番号表示を行うことを特徴とする請求項５、６又は７記載の携帯端末。
【請求項９】
前記制御部は、音楽再生時にマトリクス状のキーバックライトにより再生音に対するイコライザ設定の表示を行うことを特徴とする請求項１記載の携帯端末。
【請求項１０】
前記マトリクス状のキー部は、携帯端末の長手方向の３列のキー部で構成され、前記イコライザ設定の表示は前記３列のキー部によりそれぞれ低音域、中音域及び高音域の信号レベルに応じた発光色のイコライザ設定の表示であることを特徴とする請求項９記載の携帯端末。
【請求項１１】
マトリクス状のキー部毎に配置したＲＧＢ化した発光素子でなるマトリクス状のキーバックライトを有する携帯端末の表示制御方法であって、制御部により前記マトリクス状のキーバックライトによる画素表示によりグラフィック表示を行うことを特徴とする携帯端末の表示制御方法。
【請求項１２】
前記制御部により、音楽再生時にマトリクス状のキーバックライトにより再生音に対するグラフィックイコライザ表示を行うことを特徴とする請求項１１記載の携帯端末の表示制御方法。
【請求項１３】
前記制御部により、一定期間、前記グラフィックイコライザ表示に代えて前記再生音の曲番号表示を行うことを特徴とする請求項１２記載の携帯端末の表示制御方法。
【請求項１４】
前記マトリクス状のキー部は、携帯端末の長手方向の３列のキー部で構成され、前記制御部により前記３列のキー部によりそれぞれ低音域、中音域及び高音域の信号レベルに応じた発光色のグラフィックイコライザ表示を行うことを特徴とする請求項１２又は１３記載の携帯端末の表示制御方法。
【請求項１５】
前記制御部により、音楽再生時にマトリクス状のキーバックライトによりビジュアライザ表示を行うことを特徴とする請求項１１記載の携帯端末の表示制御方法。
【請求項１６】
前記ビジュアライザ表示は、再生音の信号レベル、周波数又はテンポに応じて表示パターンが変化する表示であることを特徴とする請求項１５記載の携帯端末の表示制御方法。
【請求項１７】
前記制御部により、ビジュアライザ表示用の複数の表示パターンを記憶した記憶部からランダムに読み出した表示パターンによりビジュアライザ表示を行うことを特徴とする請求項１５又は１６記載の携帯端末の表示制御方法。
【請求項１８】
前記制御部により、一定期間、前記ビジュアライザ表示に代えて前記再生音の曲番号表示を行うことを特徴とする請求項１５、１６又は１７記載の携帯端末の表示制御方法。
【請求項１９】
前記制御部により、音楽再生時にマトリクス状のキーバックライトにより再生音に対するイコライザ設定の表示を行うことを特徴とする請求項１１記載の携帯端末の表示制御方法。
【請求項２０】
前記マトリクス状のキー部は、携帯端末の長手方向の３列のキー部で構成され、前記イコライザ設定の表示は前記３列のキー部によりそれぞれ低音域、中音域及び高音域の信号レベルに応じた発光色のイコライザ設定の表示であることを特徴とする請求項１９記載の携帯端末の表示制御方法。
【請求項２１】
マトリクス状のキー部毎に配置したＲＧＢ化した発光素子でなるマトリクス状のキーバックライトを有する携帯端末のプログラムであって、コンピュータを、前記マトリクス状のキーバックライトによる画素表示によりグラフィック表示を行う制御部として機能させることを備えることを特徴とするプログラム。
【請求項２２】
前記制御部は、音楽再生時にマトリクス状のキーバックライトにより再生音に対するグラフィックイコライザ表示を行うことを特徴とする請求項２１記載のプログラム。
【請求項２３】
前記制御部は、一定期間、前記グラフィックイコライザ表示に代えて前記再生音の曲番号表示を行うことを特徴とする請求項２２記載のプログラム。
【請求項２４】
前記マトリクス状のキー部は、携帯端末の長手方向の３列のキー部で構成され、前記グラフィックイコライザ表示は前記３列のキー部によりそれぞれ低音域、中音域及び高音域の信号レベルに応じた発光色のグラフィックイコライザ表示であることを特徴とする請求項２２又は２３記載のプログラム。
【請求項２５】
前記制御部は、音楽再生時にマトリクス状のキーバックライトによりビジュアライザ表示を行うことを特徴とする請求項２１記載のプログラム。
【請求項２６】
前記ビジュアライザ表示は、再生音の信号レベル、周波数又はテンポに応じて表示パターンが変化する表示であることを特徴とする請求項２５記載のプログラム。
【請求項２７】
ビジュアライザ表示用の複数の表示パターンを記憶した記憶部を備え、前記制御部は前記記憶部からランダムに読み出した表示パターンによりビジュアライザ表示を行うことを特徴とする請求項２５又は２６記載のプログラム。
【請求項２８】
前記制御部は、一定期間、前記ビジュアライザ表示に代えて前記再生音の曲番号表示を行うことを特徴とする請求項２５、２６又は２７記載のプログラム。
【請求項２９】
前記制御部は、音楽再生時にマトリクス状のキーバックライトにより再生音に対するイコライザ設定の表示を行うことを特徴とする請求項２１記載のプログラム。
【請求項３０】
前記マトリクス状のキー部は、携帯端末の長手方向の３列のキー部で構成され、前記イコライザ設定の表示は前記３列のキー部によりそれぞれ低音域、中音域及び高音域の信号レベルに応じた発光色のイコライザ設定の表示であることを特徴とする請求項２９記載のプログラム。
【発明の詳細な説明】
【技術分野】
【０００１】
本発明は携帯端末に関し、特に、キーバックライトを備える携帯端末、携帯端末の表示制御方法及びプログラムに関する。
【背景技術】
【０００２】
本発明の関連技術として、操作キーに複数の多色ＬＥＤ（Light Emitting Diode）などを設け、電話機動作に応じて同時に又は個別に点灯又は点滅させる構成とした携帯端末が特許文献１に記載されている。また、キーバックライトの３色ＬＥＤにより有効キー／無効キーの表示等を行いキー操作の効率を向上させた携帯端末が特許文献２に記載されている。
【特許文献１】特開２００１−２１７９０４号公報
【特許文献２】特開２００５−１３４９９８号公報
【発明の開示】
【発明が解決しようとする課題】
【０００３】
近年の携帯端末においては、高機能化に伴う様々な機能、筐体のデザイン、機能やデザイン的な表示に関するユーザの嗜好が多様化してきている。
【０００４】
特許文献１に記載の携帯端末は、各キーの多色ＬＥＤや着信ＬＥＤを単にメロディ音に応じて同時に又は個別に発光色に発光、点滅するものであり、また、特許文献２に記載の携帯端末は、アプリケーション機能の起動時に該機能対応で、キーバックライトの３色ＬＥＤを発光させ、有効キーと無効キーの識別を可能とするものに過ぎず、ユーザの機能やデザイン的な表示に関する嗜好を満たすには充分でない。
【０００５】
本発明は、以上のような事情を踏まえてなされたものであり、ユーザへのグラフィカルな情報伝達が可能なキーバックライトを備える携帯端末、携帯端末の表示制御方法及びプログラムを提供することにある。
【課題を解決するための手段】
【０００６】
本発明の第１の携帯端末は、マトリクス状のキー部毎に配置したＲＧＢ化した発光素子でなるマトリクス状のキーバックライトを有する携帯端末において、前記マトリクス状のキーバックライトによる画素表示によりグラフィック表示を行う制御部を備えることを特徴とする。
【０００７】
本発明の第１の携帯端末の表示制御方法は、マトリクス状のキー部毎に配置したＲＧＢ化した発光素子でなるマトリクス状のキーバックライトを有する携帯端末の表示制御方法であって、制御部により前記マトリクス状のキーバックライトによる画素表示によりグラフィック表示を行うことを特徴とする。
【０００８】
本発明の第１のプログラムは、マトリクス状のキー部毎に配置したＲＧＢ化した発光素子でなるマトリクス状のキーバックライトを有する携帯端末のプログラムであって、コンピュータを、前記マトリクス状のキーバックライトによる画素表示によりグラフィック表示を行う制御部として機能させることを備えることを特徴とする。
【発明の効果】
【０００９】
本発明によれば、複数の色が発光可能なキーバックライトと、数字や記号が印刷されたマトリクス状のキー入力部を用いることにより、液晶表示等によらずユーザへのグラフィカルな表示や情報伝達が可能であるという効果を奏する。
【００１０】
また、マトリクス状のキーバックライトの個々の色、点灯時間、輝度を短期間に順次変更できるから、メロディやミュージックなどの音楽再生時に音の有無、強弱、テンポに連動して、キー部やキーバックライトの画素表示による画像等が動的に表現でき、ユーザに音楽再生状態を知らせるのみならず、ビジュアライザ（Visualizer）表示等による色や表示パターンの組み合わせの変化によるイルミネーション効果を有し、再生音楽の演出を高めることが可能である。
【発明を実施するための最良の形態】
【００１１】
本発明のキーバックライトを備える携帯端末、携帯端末の表示制御方法及びプログラムの実施形態について説明する。
【００１２】
（回路構成）
図１は本発明の実施形態の携帯電話機等、携帯端末の回路ブロック構成の要部を示す図である。
【００１３】
本実施形態の携帯端末１００は、ＣＰＵ（Central Processing Unit：中央処理装置）１０を搭載しており、ＣＰＵ１０はバス３０を介して装置内のＲＯＭ（Read Only Memory）１１、ＲＡＭ（Random Access Memory）１２、無線機送受信部１３、キーバックライト１４、キー入力部１５、表示制御部１６、マイク１８、スピーカ１９、レシーバ２０等、各部と接続されている。本実施形態のＣＰＵ１０、ＲＯＭ１１又はＲＡＭ１２は、それぞれ本発明の制御部、記憶部を構成する。
【００１４】
ＲＯＭ１１は、ＣＰＵ１０が実行する携帯端末機能の制御に加え、音楽再生、キーバックライトの制御等の各種の制御プログラムや、各種メロディを鳴音するための固定的なメロディデータを格納したリード・オン・メモリである。
【００１５】
ＲＡＭ１２は、使用者が入力したデータや、インターネットからダウンロードした音楽データ、音楽ＣＤなどからリッピングした曲番号情報を含む音楽データを保存すると共に、インターネットにアクセスした際のデータを一時的に保存したり、作業用のメモリとしても利用されるランダム・アクセス・メモリである。
【００１６】
キーバックライト１４は、キー入力部１５を照光するための発光素子でなり、ＲＧＢの３色ＬＥＤ（Light Emitting Diode）を１セット（ＲＧＢセット）とした複数のセットで構成され、各ＲＧＢセットそれぞれのＲＧＢ（Red-Green-Blue）を制御することにより複数色の点灯制御が可能である。そのため、キーバックライトは、全セット同色点灯や、ＲＧＢのセット実装数分だけ異なった色で点灯させることも可能である。
【００１７】
キー入力部１５は、各種のキー（テンキー、機能キー、携帯端末を折り畳んだ際に外側に位置するキー、ボタン）等からなり、ユーザの入力操作回路である。
【００１８】
表示制御部１６は、表示部１７の表示を制御する制御回路であり、表示部１７は表示制御部１６の制御により携帯端末１００の各種画面の表示、各種キーバックライト表示のメニュー画面等を表示する。
【００１９】
マイク１８、スピーカ１９、レシーバ２０は通話を行う際に使用する音響部品であり、マイク１８により送話者の音声を入力し、スピーカ１９、レシーバ２０により相手話者の音声を出力する。
【００２０】
また、スピーカ１９は携帯端末にプリセットもしくはインターネットから直接ダウンロードしたり、パーソナルコンピュータを介して音楽ＣＤなどからリッピングした音楽データを再生する際に再生音を出力する。
【００２１】
無線機送受信部１３は基地局の位置登録、通信制御、通話、インターネット接続等の通信機能を備え、無線によってデータの送受信を行う。
【００２２】
ＣＰＵ１０は、ＲＯＭ１１に格納された各種プログラムを読み込み、キー入力部１５のユーザ入力の検出、無線機送受信部１３の送受信、キーバックライト部の表示、表示制御部１６の制御、ＲＯＭ１１、ＲＡＭ１２に関する書き込み／読み出し制御等の各種制御に係る処理ステップからなるメインルーチンを順次繰り返し処理する。
【００２３】
また、各処理ステップでは該処理に関する事象の発生により具体的な処理ルーチンを実行する。例えば、ＲＯＭ１１に格納された音楽データの再生動作が起動されると、当該処理のステップでＲＯＭ１１、ＲＡＭ１２からの音楽データの取得、再生を制御し、キーバックライト部の表示処理のステップでは、キーバックライトの点灯、消灯、発光色を制御し、グラフィックイコライザ（graphic equalizer）表示等を制御するサブルーチンを実行する。ＣＰＵ１０が実行する個々の処理（機能）は、以下の各実施形態において説明する。
【００２４】
図２は本実施形態の携帯端末のキー入力部の構成とキーバックライトＬＥＤの実装位置の例を示す図である。図２（ａ）に示すように、本実施形態の携帯端末１００は上下筺体をヒンジ部で開閉可能に連結した筺体構成でなり、下部筺体にキー入力部１５、上部筺体に表示部１７を備える。キー入力部１５としては、横３個×縦７個（計２１個）のキー部をマトリクス状に配置した構成例を示している。
【００２５】
また、キー入力部１５の各キー部には図２（ｂ）に示すように、キーバックライト１４が配置され、各キーバックライトは、図２（ｃ）に示すように、Ｒ（赤）、Ｇ（緑）、Ｂ（青）の３色を発光するＬＥＤからなる点灯素子でライト１４１を構成している。３色Ｒ、Ｇ、Ｂの輝度、時間はＣＰＵ１０により制御され、ライト１４１は複数色の点灯、消灯が可能であり、ユーザによる点灯色の選択、設定も可能である。
【００２６】
また、ライト１４１は、携帯端末１００の全てのキー、あるいは任意のキーの直下又は近接した場所に配置することができ、マトリクス状の各キー部を照射し、キー部又はライト（各キーバックライト）のそれぞれを表示画素として再生音楽等に応じたグラフィック表示等によるイルミネーション（キーイルミネーション）が可能である。
【００２７】
キーイルミネーションによる表示動作の設定は、設定等のメニュー画面表示として表示部１７の表示画面に各種の表示形態を掲載し、音楽再生中又は再生前等にユーザがキー入力部１５から選択することにより所望の表示機能が設定できる。
【００２８】
図３は表示部１７上のメニュー画面を示す図である。メニュー画面には後述するグラフィックイコライザ表示、イコライザ設定／表示、ビジュアライザ表示、曲番号表示（トラック表示）及び複合表示等が選択可能に表示され、ユーザが何れかを選択すると、ＣＰＵ１０はこれを認識してその設定を行い、例えば音楽再生時等に選択された形態の表示の制御を開始し、音楽再生の終了時等に該表示の制御を終了する。
【００２９】
以下、本発明のキーバックライトを備える携帯端末、携帯端末の表示制御方法及びプログラムの各種の実施形態として、前記メニュー画面において設定した表示形態別に詳細に説明する。
【００３０】
（第１の実施形態）
本発明の第１の実施形態として音楽再生動作におけるグラフィックイコライザ表示の構成及び動作を説明する。
【００３１】
図４は本発明の第１の実施形態のマトリクス状のキー部によるグラフィックイコライザ表示を示す図である。本実施形態の場合は図３に示すメニュー画面によりグラフィックイコライザ表示が選択される。
【００３２】
本実施形態では筺体の左側、中央及び右側の筺体の長手方向の各縦一列のキー配列により、それぞれ低音域、中音域及び高音域の音量レベルの表示を行うグラフィックイコライザ表示が実現される。縦方向を音量レベルとし、音量レベルに応じたキー部の個数、発光及び発光色を可変制御する。
【００３３】
（第１の実施形態の動作）
図５は第１の実施形態のグラフィックイコライザ表示の処理フローチャートを示す図である。
【００３４】
グラフィックイコライザ表示の設定がなされると（Ｓ１０１、Ｙｅｓ）、ＣＰＵ１０は、音楽再生時に短期間（例えば数ミリ〜数百ミリ秒の時間）の再生音楽の信号を取得（抽出）して周波数分析を行い（Ｓ１０２）、該信号の低音域、中音域及び高音域のそれぞれの音量レベルを検出し（Ｓ１０３）、低音域の音量レベルの強弱により、キー部左側の縦一列のバックライトの点灯表示を制御する（Ｓ１０４）。また、中音域の音量レベルの強弱により、キー部中央の縦一列のバックライトの点灯表示を制御する（Ｓ１０５）。更に、高音域の音量レベルの強弱により、キー部右側の縦一列のバックライトの点灯表示を制御する（Ｓ１０６）。
【００３５】
次に、ＣＰＵ１０は、タイマー機能等により前記点灯表示の制御の終了から一定時間（例えば数ミリ〜数百ミリ秒の時間）の経過を判断し（Ｓ１０７）、該一定時間経過した場合に、再度、再生音楽の信号取得の処理ステップＳ１０２以降の同様の処理を繰り返す。
【００３６】
以上のバックライトの点灯表示では、各音量レベルの大きさに応じたキー部毎のＲＧＢ制御により発光色も制御され、例えば、水色、水色、青色、青色、橙色、橙色、赤色の順に次第に発光色の濃度の高いキー部まで点灯するように制御される。
【００３７】
本実施形態のグラフィックイコライザ表示としては、図４の表示３００のように低音域、中音域、高音域の３段階の周波数帯域のそれぞれに対する音量レベルとして７段階の表示が可能であり、音量レベルの高い順に赤色、橙色、青色、水色というような色分けに加えて輝度の強弱をも変更でき、音源データと連携したキーイルミネーション効果を付与した音楽再生が可能である。
【００３８】
本実施形態のマトリクス状のキー部による音楽再生におけるグラフィックイコライザ表示により、ユーザは再生音楽の経時的な周波数成分（特性）を認識できるとともに、マトリクス状のキー部による多彩なイルミネーション効果を楽しむことができる。
【００３９】
（第２の実施形態）
次に本発明の第２の実施形態として音楽再生におけるイコライザ設定及び設定表示の構成及び動作を説明する。
【００４０】
図６は本発明の第２の実施形態のマトリクス状のキー部によるイコライザ設定と設定表示を示す図である。本実施形態の場合は図３に示すメニュー画面によりイコライザ設定／表示が選択される。
【００４１】
ＲＯＭ１１、ＲＡＭ１２等（記憶部）には、予め低音域、中音域及び高音域のそれぞれのイコライザ設定値からなるイコライザ設定カーブの情報が数パターンプリセット（記憶）されており、このイコライザ設定値を読み出して、筺体の左側、中央及び右側の各縦一列のキー配列のいずれかのキー部のバックライトを点灯することにより、それぞれ低音域、中音域及び高音域のイコライザ設定カーブの表示を実現する。
【００４２】
（第２の実施形態の動作）
図７は第２の実施形態のコライザ設定及び設定表示の処理フローチャートを示す図である。
【００４３】
イコライザの設定値の表示においては（Ｓ２０１、Ｙｅｓ）、ＣＰＵ１０は記憶部から再生音楽のイコライザ設定値を取得する（Ｓ２０２）。例えば、ユーザがキー入力部１５等の操作により、低音域、中音域及び高音域の複数のイコライザ設定値の組み合わせの何れかを選択すると、ＣＰＵ１０は当該設定値を取得し、キー左側の縦一列のバックライトを低音部の設定値にしたがって点灯することにより低音部のイコライザ設定値を表示する（Ｓ２０３）。また、キー中央の縦一列のバックライトを中音域の設定値にしたがって点灯することにより中音域のイコライザ設定値を表示する（Ｓ２０４）。同様にキー右側の縦一列のバックライトを高音域の設定値にしたがって点灯することにより高音域のイコライザ設定値を表示する（Ｓ２０５）。
【００４４】
次に、ＣＰＵ１０はユーザからの他の設定値の表示操作の有無を判断し（Ｓ２０６）、操作があった場合に、次のイコライザ設定値を取得する処理ステップＳ２０２以降の同様の処理を繰り返す。
【００４５】
以上の処理により図６に示すように、再生音楽に対するイコライザ設定カーブが表現される。また、ユーザにより表示されたイコライザ設定カーブをイコライザ設定とすることにより、該設定によりＣＰＵ１０が音楽再生を行うように構成することができる。
【００４６】
図８はユーザによるイコライザ設定及び設定したイコライザ設定値の表示を行う処理フローチャートを示す図である。ユーザが好みに応じて再生音楽の低音域、中音域及び高音域のそれぞれに対してイコライザ設定値を設定するとともに、設定したイコライザ設定カーブを表示する処理である。
【００４７】
筺体の左側、中央及び右側の各縦一列のキーの押下操作により、再生音楽のそれぞれ低音域、中音域及び高音域のイコライザ設定を行い、設定時の押下キーの点灯と発光色を制御する。
【００４８】
ユーザによるイコライザ設定においては（Ｓ３０１、Ｙｅｓ）、ユーザがイコライザ設定のため何れかのキーを押下すると（Ｓ３０２）、ＣＰＵ１０は、押下キーが左側の縦一列の何れかのキーか否かを判断し（Ｓ３０３）、左側キーの何れかキーの場合は、押下キーに応じた低音域のイコライザ設定値を記憶部に記憶し（Ｓ３０４）、当該押下キーのバックライトを点灯する（Ｓ３０５）。
【００４９】
ステップＳ３０３で、押下キーが左側キーの何れでもない場合は、押下キーが中央キーの縦一列の何れかのキーか否かを判断し（Ｓ３０６）、中央キーの何れかのキーの場合は、押下キーに応じた中音域のイコライザ設定値を記憶部に記憶し（Ｓ３０７）、当該押下キーのバックライトを点灯する（Ｓ３０８）。
【００５０】
ステップＳ３０６で、押下キーが中央キーの何れでもない場合は、押下キーが右側キーの縦一列の何れかのキーか否かを判断し（Ｓ３０９）、右側キーの何れかのキーの場合は、押下キーに応じた高音域のイコライザ設定値を記憶部に記憶し（Ｓ３１０）、当該押下キーのバックライトを点灯する（Ｓ３１１）。
【００５１】
以上の処理によりイコライザ設定機能を用いる場合、ユーザが好みに応じて低音域、中音域、高音域のそれぞれに対して、キーの押下により音量レベルの設定を７段階で行うことができる。これにより図６に示す表示３００のように、ユーザの好みに応じたイコライザ設定カーブを設定することができる。設定後のイコライザ設定カーブにより音楽再生を行うように構成することができる。
【００５２】
（第３の実施形態）
次に本発明の第３の実施形態としてマトリクス状のキー部によるビジュアライザ表示の構成及び動作を説明する。本実施形態の場合は図３に示すメニュー画面によりビジュアライザ表示が選択される。本実施形態では記憶部には十字、Ｘ字等の文字／記号、各種模様等からなるビジュアライザの単一又は連続する多数のパターン及び該パターンの色の情報が１ないし数パターン分がプリセットされ記憶される。
【００５３】
図９は本発明の第３の実施形態のビジュアライザ表示の表示例を示す図であり、図１０は第３の実施形態のビジュアライザ表示の処理フローチャートを示す図である。
【００５４】
ビジュアライザ表示においては（Ｓ４０１、Ｙｅｓ）、ＣＰＵ１０は記憶部から１ないし連続する数パターン及びその色情報を取得し（Ｓ４０２）、取得したパターン等の情報にしたがってバックライトを点灯する（Ｓ４０３）。
【００５５】
以上の処理により、例えば図９に示す表示４００のような十字パターンのビジュアライザ表示が実現できる。図９は赤色、青色、紫色、桃色を使った十字のデザインを３個×７個のマトリックスに表示した例であり、連続する多数のパターンにより表示する場合は変化するパターン及び色彩の動画表示が可能であり、ユーザの嗜好にあったイルミネーション効果を実現できる。
【００５６】
図１１は第３の実施形態の他のビジュアライザ表示の処理フローチャートを示す図である。再生音楽に合わせてビジュアライザ表示を行う場合の動作を示している。記憶部には音楽信号の信号レベルや周波数に対応して、１ないし複数のパターン及びその色情報が記憶される。
【００５７】
再生音楽に合わせたビジュアライザ表示においては（Ｓ５０１、Ｙｅｓ）、ＣＰＵ１０は再生音楽の信号を所定時間取得し（Ｓ５０２）、取得した信号（オーディオ信号）の振幅、周波数を分析し、例えば、数十ミリ秒間の信号の平均信号レベル及び低音域等、特定帯域の平均周波数等を検出する（Ｓ５０３）。次に、ＣＰＵ１０は分析結果の信号レベルや周波数に対応する表示パターン及び色の情報を記憶部から読み出し（Ｓ５０４）、該表示パターン等の情報にしたがってバックライトを点灯する（Ｓ５０５）。
【００５８】
次に、ＣＰＵ１０はタイマー機能等により一定時間の経過を判断し（Ｓ５０６）、該一定時間経過時にビジュアライザ表示の設定が継続している場合、再度、再生音楽の信号を取得する処理ステップＳ５０２以降の同様の処理を繰り返す。
【００５９】
また、再生音楽に合わせたビジュアライザ表示の制御は、前記処理ステップの振幅、周波数の検出に代えて再生音のテンポ情報を取得して利用することが可能である。テンポ情報は、例えばリズム楽器の周波数帯域の信号を抽出する帯域通過フィルタ等の使用により、再生音（曲）から所定時間間隔で連続的に現れる信号（テンポ）を検出し、該信号の発生時点で、図９、１０に示すように記憶部から例えば異なる表示パターンを順次取得して表示することで、再生音楽のテンポに合わせたビジュアライザ表示が実現できる。
【００６０】
図１２は第３の実施形態の更に他のビジュアライザ表示の処理フローチャートを示す図である。記憶部に予めビジュアライザの複数パターンが番号順にプリセットされ、ビジュアライザのパターンをランダムに読み出して表示するように構成したものである。
【００６１】
本ビジュアライザ表示においては、ＣＰＵ１０は音楽再生の開始時等に、乱数発生等によりランダムな番号を発生する（Ｓ６０１）。次に発生した番号を判断し（Ｓ６０２）、番号‘１’の場合は記憶部から当該番号のビジュアライザの表示パターン及び色情報を取得し（Ｓ６０３）、例えば、十字パターンを含むパターン１による図９、１０に示す処理に移行する（Ｓ６０４）。
【００６２】
また、ステップＳ６０２で番号が‘２’の場合は記憶部から他のパターン２の情報を取得し（Ｓ６０５）、例えば、再生音楽に合わせて表示する図１１に示す処理に移行する（Ｓ６０６）。
【００６３】
また、ステップＳ６０２で番号が‘ｎ’の場合は記憶部から他のパターンｎの情報を取得し（Ｓ６０７）、パターンｎにより図９、１０に示す処理に移行する（Ｓ６０８）。
【００６４】
以上の処理により、再生音楽に応じたビジュアライザ表示が実現でき、観賞用のキーイルミネーションを行うことができる。赤色、青色、紫色、桃色等を使った十字等の文字や記号、各種模様のデザインを３個×７個のマトリックスに表示し、音源データと連携したイルミネーション効果を付与した音楽再生が可能となる。なお、音の波形を元に様々な模様などをビジュアル的に作り出すことが可能なプラグインソフトウェアを搭載させることで、液晶表示によるビジュアライザのような表示が可能である。
【００６５】
（第４の実施形態）
次に本発明の第４の実施形態の曲番号表示（トラック表示）の構成及び動作を説明する。本実施形態では、記憶部には「１」から「９」までの数字パターン及び該パターンの色の情報が記憶される。
【００６６】
図１３は本発明の第４の実施形態のトラック番号表示を示す図であり、図１４は第４の実施形態のトラック表示の処理フローチャートを示す図である。記憶部に記録した音楽ＣＤのデータ（トラック番号を含む）の再生時に再生トラック番号の表示を行う動作例である。
【００６７】
再生音楽のトラック表示においては（Ｓ７０１、Ｙｅｓ）、ＣＰＵ１０は再生音楽のトラック番号を取得し（Ｓ６０２）、更に取得したトラック番号の表示パターン及び色の情報を取得する（Ｓ７０３）。ＣＰＵ１０は取得したトラック番号の表示パターン等の情報にしたがってバックライトを点灯して図１３に示す表示５００のような番号のパターンを表示する（Ｓ７０４）。
【００６８】
次に、ＣＰＵ１０はタイマー機能等により一定時間の経過を判断し（Ｓ７０５）、該一定時間経過すると、トラック表示が継続している場合（Ｓ７０１、Ｙｅｓ）、再度、再生音楽のトラック番号を取得する処理ステップＳ７０２以降の同様の処理を繰り返す。
【００６９】
（第５の実施形態）
次に本発明の第５の実施形態として以上説明した各種表示の組み合わせでなる複合表示の構成及び動作を説明する。本実施形態の場合は図３に示すメニュー画面により複合表示が選択される。また、図３に示すメニュー画面で予め用意された複合表示を選択する設定方法が利用できるが、前記メニュー画面上で複合表示を選択し、更にその下位のメニュー画面により複数の異なる複合表示を組み合わせて設定できるように構成することができる。
【００７０】
図１５はトラック表示とグラフィックイコライザ表示とビジュアライザ表示等の組み合わせの複合表示の設定の処理フローチャートの例を示す図である。
【００７１】
ＣＰＵ１０は複合処理に関し、ユーザによる再生音楽の曲番号（トラック）表示の操作の有無を判断し（Ｓ８０１）、トラック表示の操作を検出すると、トラック表示（例えば図１３、図１４の表示）の設定を行い（Ｓ８０２）、次にＣＰＵ１０はグラフィックイコライザ表示の操作の有無を判断し（Ｓ８０３）、グラフィックイコライザ表示の操作が検出されると、ＣＰＵ１０はグラフィックイコライザ表示（例えば図４、図５の表示）の設定を行う（Ｓ８０４）。これにより、トラック表示とグラフィックイコライザ表示の複合表示が設定される。
【００７２】
また、ステップＳ８０３でユーザによるグラフィックイコライザ表示の操作が検出されない場合は、ＣＰＵ１０はビジュアライザ表示として、ビジュアライザ表示（例えば図９、図１０、図１１、図１２の表示）の設定を行う（Ｓ８０５）。これにより、トラック表示とグラビジュアライザ表示の複合表示が設定される。
【００７３】
ステップＳ８０１で、ユーザがトラック表示の操作を行わない場合は、複合表示の設定ではなく、グラフィックイコライザ表示とビジュアライザ表示の何れかの表示設定が行われる。
【００７４】
以上によりトラック表示とグラフィックイコライザ表示及びトラック表示とビジュアライザ表示の各組み合わせの設定が可能であり、ビジュアライザ表示のみ、グラフィックイコライザ表示のみの設定も可能である。
【００７５】
ステップＳ８０５のビジュアライザ表示の設定は、前述の他のビジュアライザ表示の設定に変更することが可能である。従って、ビジュアライザ表示の設定に変更により、各種の表示設定及び組み合わせ選択が可能となる。
【００７６】
図１６は本発明の第５の実施形態の複合表示を示す図である。本実施形態は、音楽再生時に再生データのトラック番号を数秒間（一定期間）表示した後に、再生音楽のグラフィックイコライザ表示に切り替えて表示する表示例である。
【００７７】
図１７は第５の実施形態のトラック表示とグラフィックイコライザ表示を組み合わせた複合表示の処理フローチャートを示す図である。
【００７８】
音楽再生の開始等によるトラック表示において（Ｓ９０１、Ｙｅｓ）、ＣＰＵ１０は再生音楽のトラック番号を取得し（Ｓ９０２）、トラック番号の表示パターン及び色の情報を取得する（Ｓ９０３）。ＣＰＵ１０は取得したトラック番号の表示パターン等の情報にしたがってバックライトを点灯して番号を表示する（Ｓ９０４）。次に、ＣＰＵ１０はタイマー機能等により数秒間の経過を判断し（Ｓ９０５）、前記時間の経過前はトラックのパターン表示を継続する（Ｓ９０４）。
【００７９】
ステップＳ９０５において、数秒間の経過を判断すると（Ｓ９０５、Ｙｅｓ）、ＣＰＵ１０は再生音楽の信号を取得し（Ｓ９０６）、信号の周波数成分を分析し、低音域、中音域、高音域の各音量レベルを検出し（Ｓ９０７）、検出した音量レベルにしたがってキー部左側、中央、右側の縦一列のバックライトをそれぞれの強弱に合わせて表示する（Ｓ９０８）。
【００８０】
次に、一定時間の経過後（Ｓ９０９）、音楽再生が継続しているか否かを判断し（Ｓ９１０）、音楽再生が継続している場合にステップＳ９０６以降の処理を繰り返し、音楽再生が終了した場合には処理を終了する。
【００８１】
以上の処理により図１６に示すようにキーバックライトを用いたトラック表示とグラフィックイコライザ表示とを組み合わせた複合的な表示が実現できる。
【００８２】
なお、本実施形態の図１６、１７の表示制御では音楽再生開始時等に最初にトラック表示を行うようにしたが、トラック表示の処理ステップＳ９０１以前にグラフィックイコライザ表示の処理ステップＳ９０６以降の処理を設けることにより、グラフィックイコライザ表示の途中又は最後に一定期間のトラック表示を行うように変更する等、適宜の変更が可能である。
【００８３】
図１８は本発明に第５の実施形態の他の複合表示を示す図である。本実施形態は、音楽再生時に再生データのトラック番号を数秒間（一定期間）表示した後に、再生音楽のビジュアライザ表示に切り替えて表示する表示例である。
【００８４】
図１９は第５の実施形態のトラック表示とビジュアライザ表示を組み合わせた複合表示の処理フローチャートを示す図である。
【００８５】
音楽再生の開始等のトラック表示において（Ｓ１００１、Ｙｅｓ）、ＣＰＵ１０は再生音楽のトラック番号を取得し（Ｓ１００２）、トラック番号の表示パターン及び色の情報を取得する（Ｓ１００３）。ＣＰＵ１０は取得したトラック番号の表示パターン等の情報にしたがってバックライトを点灯して番号を表示する（Ｓ１００４）。次に、ＣＰＵ１０はタイマー機能等により数秒間の経過を判断し（Ｓ１００５）、前記時間の経過前はトラックのパターン表示を継続する（Ｓ１００４）。
【００８６】
ステップＳ１００５において、数秒間の経過を判断すると（Ｓ１００５、Ｙｅｓ）、ＣＰＵ１０は再生音楽の信号を所定時間取得し（Ｓ１００６）、取得した信号（オーディオ信号）の振幅、周波数を分析し、例えば、数十ミリ秒間の信号の平均信号レベル及び低音域等、特定帯域の平均周波数等を検出する（Ｓ１００７）。次に、ＣＰＵ１０は分析結果の信号レベルや周波数に対応する表示パターン及び色の情報を記憶部から読み出し（Ｓ１００８）、該表示パターン等の情報にしたがってバックライトを点灯する（Ｓ１００９）。
【００８７】
次に、ＣＰＵ１０はタイマー機能等により一定時間の経過を判断し（Ｓ１０１０）、該一定時間経過時にビジュアライザ表示の設定が継続している場合（Ｓ１０１１、Ｙｅｓ）、再度、再生音楽の信号を取得する処理ステップＳ１００６以降の同様の処理を繰り返し、音楽再生が終了した場合（Ｓ１０１１、Ｎｏ）、処理を終了する。
【００８８】
また、再生音楽に合わせたビジュアライザ表示の制御は、第３の実施形態と同様に前記処理ステップの振幅、周波数の検出に代えて再生音のテンポ情報を取得して利用することが可能である。
【００８９】
以上の処理により図１８に示すようなキーバックライトを用いたトラック表示とビジュアライザ表示とを組み合わせた複合的な表示が実現できる。
【００９０】
また、本実施形態の図１８、１９の表示制御では音楽再生開始時等に最初にトラック表示を行うようにしたが、トラック表示の処理ステップＳ１００１以前にビジュアライザ表示の処理ステップＳ１００６以降の処理を設けることにより、ビジュアライザ表示の途中又は最後に一定期間のトラック表示を行うように変更する等、適宜の変更が可能である。
【００９１】
更に、ビジュアライザ表示の処理ステップとしては、図１０に示すビジュアライザ表示の処理ステップや、図１２に示すような記憶部からランダムにパターンを読み出して表示するビジュアライザ表示の処理ステップとすることが可能であるもとは明らかである。
【００９２】
（第６の実施形態）
次に、本発明の第６の実施形態として、単に音楽再生時にキーバックライトを用いてイルミネーション連携効果を行うだけではなく、ユーザがＷＥＢ閲覧又はメール作成等、別の操作を行いながら音楽再生をする場合、つまり再生音楽をＢＧＭ（Back ground music）とする場合に、液晶表示ディスプレイ等の画面表示により音楽再生中を表示するのではなく、キーバックライトを用いて音楽再生中であることをユーザに知らせることができる。
【００９３】
第６の実施形態は、ＷＥＢ閲覧又はメール作成等、音楽再生とは異なる機能の起動時に、第１、３〜５の実施形態の表示機能も起動するように構成することができる。これにより例えば、ＢＧＭとしてユーザがバックグラウンドで音楽再生を行う際、図１２の表示のように、３×５個のキーエリア部分１５個のマスを使って、「１」〜「９」までの数字を表現して数秒間点灯することで、これを再生中の音楽が何番目の曲数かを示すトラック番号等としてユーザに知らせ、また、図１６の表示のように、その後のグラフィックイコライザ表示により音楽再生中であることをユーザに知らせることができる。
【００９４】
（第７の実施形態）
以上の実施形態の一連の処理はハードウェアにより実行させることが可能であるが、ソフトウェアにより実行させることが可能である。一連の処理をソフトウェアにより実行させる場合には、以上の実施形態の機能を実現するソフトウェアのプログラムコードを携帯端末の記憶部に格納し、コンピュータ（ＣＰＵ）が前記記憶部に格納されたプログラムコードを読み込み、読み込んだプログラムにより制御され、キー入力部から入力される指令に対応して各種の表示処理を実行する。
【００９５】
また、プログラムコードを記憶した記憶媒体を使用し、この記憶媒体からプログラムコードを読み出し、前記記憶部に格納することができる。記録部へのプログラムの格納は、必要に応じて無線機送受信部１３を介して、ローカルエリアネットワーク、インターネット、有線または無線の通信媒体を利用して行われるように構成することができる。
【００９６】
この場合、前記記憶媒体又は記憶部のプログラムコード自体が以上説明した各実施形態の機能を実現することになり、本発明を構成することになる。プログラムコードを供給するための記憶媒体としては、例えば、磁気ディスク、ハードディスク、光ディスク、磁気テープ、不揮発性のメモリカード、ＲＯＭ等とすることができる。
【００９７】
以上のように本発明は、携帯端末のキー入力部のマトリクス状のキー部を照らすキーバックライトに、ＲＧＢ制御が可能で複数の色が発光可能な点灯素子を持つライトを近接配置する。また、それぞれを表示画素として独立制御を可能とし、メロディやミュージックなど音楽再生時に曲の音の強弱、発音の有無に連動して、キーバックライトの各ライトの色や輝度、点灯タイミングを制御し、グラフィック表示を行うものである。
【００９８】
これにより、各キーバックライトの色の変化や組み合わせを変えて、グラフィックイコライザ表示、ビジュアライザ表示、トラック番号等を行い、更にこれらによりユーザに音楽再生中であること等を光で知らせ、音楽と光が連動したイルミネーション効果を持たせる。
【００９９】
つまり、複数のキーバックライトの色、点灯場所、点灯時間、輝度を短期間に順次変更することによって、キーバックライト発光による動的な表現を可能とし、メロディやミュージックなど音楽再生時に音の有無、強弱、テンポに連動して、ユーザに音楽再生状態を示すのみならず、キーバックライトによるビジュアライザ表示等により色の変化や表示パターンの組み合わせを変えたイルミネーション効果により再生音楽の演出を高めることが可能である。
【０１００】
なお、本発明の各実施形態は、上述した実施形態に限定されるものではなく、本発明の要旨を逸脱しない範囲において種々の変更が可能である。
【図面の簡単な説明】
【０１０１】
【図１】本発明の実施形態の携帯端末の回路ブロック構成の要部を示す図である。
【図２】本実施形態の携帯端末のキー入力部の構成とキーバックライトＬＥＤの実装位置の例を示す図である。
【図３】表示部１７上のメニュー画面を示す図である。
【図４】本発明の第１の実施形態のマトリクス状のキー部によるグラフィックイコライザ表示を示す図である。
【図５】第１の実施形態のイコライザ設定の表示の処理フローチャートを示す図である。
【図６】本発明の第２の実施形態のマトリクス状のキー部によるイコライザ設定と設定表示を示す図である。
【図７】第２の実施形態のコライザ設定及び設定表示の処理フローチャートを示す図である。
【図８】ユーザによるイコライザ設定及び設定したイコライザ設定値の表示を行う処理フローチャートを示す図である。
【図９】本発明の第３の実施形態のビジュアライザ表示の表示例を示す図である。
【図１０】第３の実施形態のビジュアライザ表示の処理フローチャートを示す図である。
【図１１】第３の実施形態の他のビジュアライザ表示の処理フローチャートを示す図である。
【図１２】第３の実施形態の更に他のビジュアライザ表示の処理フローチャートを示す図である。
【図１３】本発明の第４の実施形態のトラック表示を示す図である。
【図１４】第４の実施形態のトラック表示の処理フローチャートを示す図である。
【図１５】トラック表示とグラフィックイコライザ表示とビジュアライザ表示等の組み合わせの複合表示の設定の処理フローチャートの例を示す図である。
【図１６】本発明の第５の実施形態の複合表示を示す図である。
【図１７】第５の実施形態のトラック表示とグラフィックイコライザ表示を組み合わせた複合表示の処理フローチャートを示す図である。
【図１８】本発明に第５の実施形態の他の複合表示を示す図である。
【図１９】第５の実施形態のトラック表示とビジュアライザ表示を組み合わせた複合表示の処理フローチャートを示す図である。
【符号の説明】
【０１０２】
１０  ＣＰＵ
１１  ＲＯＭ
１２  ＲＡＭ
１３  無線機送受信部
１４  キーバックライト
１４１  ライト
１５  キー入力部
１６  表示制御部
１７  表示部
１８  マイク
１９  スピーカ
２０  レシーバ
３０  バス
１００  携帯端末（携帯電話機）
２００  グラフィックイコライザ表示
３００  イコライザ表示
４００  ビジュアライズ表示
５００  曲番号表示（トラック表示）
【図１】
2010050709.tif 000003
【図２】
2010050709.tif 000004
【図３】
2010050709.tif 000005
【図４】
2010050709.tif 000006
【図５】
2010050709.tif 000007
【図６】
2010050709.tif 000008
【図７】
2010050709.tif 000009
【図８】
2010050709.tif 000010
【図９】
2010050709.tif 000011
【図１０】
2010050709.tif 000012
【図１１】
2010050709.tif 000013
【図１２】
2010050709.tif 000014
【図１３】
2010050709.tif 000015
【図１４】
2010050709.tif 000016
【図１５】
2010050709.tif 000017
【図１６】
2010050709.tif 000018
【図１７】
2010050709.tif 000019
【図１８】
2010050709.tif 000020
【図１９】
2010050709.tif 000021